(57)【要約】【課題】光硬化のカラーインクに硬化不良が生じやすいこと。【解決手段】記録媒体上の局所領域それぞれに対して２回以上である所定回の主走査を実施することによって光硬化性のカラーインクによるドットを形成し、形成されたドットに対して光硬化を施す際に、（ａ）及び（ｂ）の少なくとも何れか１つを満たす。（ａ）硬化光吸収率が最も高いカラーインクについて、所定回のうち前半の回数における主走査によって形成されるドットである前半ドットは、所定回のうち後半の回数における主走査によって形成されるドットである後半ドットよりも多い。（ｂ）硬化光吸収率が最も低いカラーインクについて、前半ドットは、後半ドットよりも少ない。【選択図】図６
2014223728.tif 000002
【特許請求の範囲】
【請求項１】
記録媒体上の局所領域それぞれに対して２回以上である所定回の主走査を実施することによって特定波長域の硬化光の照射により硬化する光硬化性のカラーインクによるドットを形成し、形成されたドットに対して光硬化を施す印刷装置であって、
（ａ）硬化光吸収率が最も高いカラーインクについて、前記所定回のうち前半の回数における主走査によって形成されるドットである前半ドットは、前記所定回のうち後半の回数における主走査によって形成されるドットである後半ドットよりも多い
（ｂ）硬化光吸収率が最も低いカラーインクについて、前記前半ドットは、前記後半ドットよりも少ない
前記（ａ）及び前記（ｂ）の少なくとも何れか１つを満たす印刷装置。
【請求項２】
前記カラーインクは、シアンインクと、マゼンタインクと、イエローインクとを含む
請求項１に記載の印刷装置。
【請求項３】
ディザマスクの閾値が小さいほどドットが形成されやすくなるディザ法によってハーフトーン処理を実行する請求項１又は請求項２に記載の印刷装置であって、
ディザマスクの各閾値が、前記所定回のうちの何回目の主走査によってドットが形成される画素に対応するかは一定であり、
前記（ａ）は、硬化光吸収率が最も高いカラーインクについて、前記前半ドットが形成される画素に対応する閾値の平均値が、前記後半ドットが形成される画素に対応する閾値の平均値よりも小さいことによって満たされ、
前記（ｂ）は、硬化光吸収率が最も低いカラーインクについて、前記前半ドットが形成される画素に対応する閾値の平均値が、前記後半ドットが形成される画素に対応する閾値の平均値よりも大きいことによって満たされる
印刷装置。
【請求項４】
ディザ法によってハーフトーン処理を実行する請求項１又は請求項２に記載の印刷装置であって、
前記所定領域それぞれに含まれる画素に対して何回目の主走査によってドットが形成されるかを示す走査順は、副走査方向に規則性を有し、
副走査方向について、ディザマスクのサイズは、前記走査順の規則性の最小単位の整数倍であり、
前記走査順とディザマスク内画素位置とが一定の対応関係となる
印刷装置。
【請求項５】
対象パラメーターに拡散誤差を加味した補正値と閾値との比較によってドット形成の有無を判定する誤差拡散法によってハーフトーン処理を実行する請求項１又は請求項２に記載の印刷装置であって、
前記（ａ）は、硬化光吸収率が最も高いカラーインクについて、前記前半ドットが形成される画素に対応する閾値の平均が、前記後半ドットが形成される画素に対応する閾値の平均よりも小さいことによって満たされ、
前記（ｂ）は、硬化光吸収率が最も低いカラーインクについて、前記前半ドットが形成される画素に対応する閾値の平均が、前記後半ドットが形成される画素に対応する閾値の平均よりも大きいことによって満たされる
印刷装置。
【請求項６】
記録媒体上の局所領域それぞれに対して２回以上である所定回の主走査を実施することによって特定波長域の硬化光の照射により硬化する光硬化性のカラーインクによるドットを形成し、形成されたドットに対して光硬化を施す印刷方法であって、
（ａ）硬化光吸収率が最も高いカラーインクについて、前記所定回のうち前半の回数における主走査によって形成されるドットである前半ドットは、前記所定回のうち後半の回数における主走査によって形成されるドットである後半ドットよりも多い
（ｂ）硬化光吸収率が最も低いカラーインクについて、前記前半ドットは、前記後半ドットよりも少ない
前記（ａ）及び前記（ｂ）の少なくとも何れか１つを満たす印刷方法。
【発明の詳細な説明】
【技術分野】
【０００１】
本発明は、印刷に関する。
【背景技術】
【０００２】
紫外線硬化型のインク（ＵＶインク）を用いた印刷が実現されている。ＵＶインクを用いた印刷において、カラーインクによってドットを形成した後に、白色インクによってドットを形成したり、この逆の順序でドットを形成したりする印刷方法が知られている（例えば特許文献１）。
【先行技術文献】
【特許文献】
【０００３】
【特許文献１】特開２００８−１４９５４７号公報
【発明の概要】
【発明が解決しようとする課題】
【０００４】
上記先行技術が有する課題は、カラーインクの硬化不良が生じやすいことである。この現象は、例えば、紫外線の吸収率が高いインクによるドットが、紫外線の吸収率が低いインクによるドットに覆い被さることによって引き起こされる。特にブルー領域の光を主に吸収するイエローインクは、ブルー領域に隣接する波長である紫外線の吸収率も高くなりがちである。この課題は、紫外線に限られず、他の波長領域の光によって硬化するインクを用いた印刷に共通である。この他、装置の小型化や、低コスト化、省資源化、製造の容易化、使い勝手の向上等が望まれていた。
【課題を解決するための手段】
【０００５】
本発明は、上記課題の少なくとも１つを解決するためのものであり、以下の形態として実現できる。
【０００６】
（１）本発明によれば、記録媒体上の局所領域それぞれに対して２回以上である所定回の主走査を実施することによって特定波長域の硬化光の照射により硬化する光硬化性のカラーインクによるドットを形成し、形成されたドットに対して光硬化を施す印刷装置が提供される。この印刷装置は、（ａ）硬化光吸収率が最も高いカラーインクについて、前記所定回のうち前半の回数における主走査によって形成されるドットである前半ドットは、前記所定回のうち後半の回数における主走査によって形成されるドットである後半ドットよりも多い（ｂ）硬化光吸収率が最も低いカラーインクについて、前記前半ドットは、前記後半ドットよりも少ない；前記（ａ）及び前記（ｂ）の少なくとも何れか１つを満たす。この形態によれば、カラーインクの硬化不良が生じにくくなる。硬化光吸収率が最も高いカラーインク（以下「高吸収インク」という）について、前半ドットが後半ドットよりも多いので、高吸収インクによるドットが、他のドットに覆い被さりにくくなる。高吸収インクによるドットが他のドットに覆い被さりにくくなれば、他のドットに光が届きにくくなることが抑制されるので、上記効果を得ることができる。（ｂ）についても同様の理由で上記効果をもたらす。なお、所定回が奇数である場合、真ん中の回数は、例えば前半の回数にも後半の回数にも属さないものとして取り扱ってもよい。
【０００７】
（２）上記形態において、前記カラーインクは、シアンインクと、マゼンタインクと、イエローインクとを含む。この形態によれば、種々の印刷装置に適用できる。
【０００８】
（３）上記形態において、ディザマスクの閾値が小さいほどドットが形成されやすくなるディザ法によってハーフトーン処理を実行し；ディザマスクの各閾値が、前記所定回のうちの何回目の主走査によってドットが形成される画素に対応するかは一定であり；前記（ａ）は、硬化光吸収率が最も高いカラーインクについて、前記前半ドットが形成される画素に対応する閾値の平均値が、前記後半ドットが形成される画素に対応する閾値の平均値よりも小さいことによって満たされ；前記（ｂ）は、硬化光吸収率が最も低いカラーインクについて、前記前半ドットが形成される画素に対応する閾値の平均値が、前記後半ドットが形成される画素に対応する閾値の平均値よりも大きいことによって満たされる。この形態によれば、印刷時における処理負荷の増大が抑制される。（ａ）と（ｂ）との少なくとも何れか１つを満たすためのディザマスクを予め作成しておけば、印刷時においては処理負荷の増大を引き起こさないからである。
【０００９】
（４）上記形態において、ディザ法によってハーフトーン処理を実行し；前記所定領域それぞれに含まれる画素に対して何回目の主走査によってドットが形成されるかを示す走査順は、副走査方向に規則性を有し；副走査方向について、ディザマスクのサイズは、前記走査順の規則性の最小単位の整数倍であり；走査順とディザマスク内画素位置とが一定の対応関係となる。この形態によれば、走査順（パス順）毎にデューティーを制御しやすくなる。これによって、より硬化不良が生じにくいようにドットを形成しやすくなる。
【００１０】
（５）上記形態において、対象パラメーターに拡散誤差を加味した補正値と閾値との比較によってドット形成の有無を判定する誤差拡散法によってハーフトーン処理を実行し；前記（ａ）は、硬化光吸収率が最も高いカラーインクについて、前記前半ドットが形成される画素に対応する閾値の平均は、前記後半ドットが形成される画素に対応する閾値の平均よりも小さいことによって満たされ；前記（ｂ）は、硬化光吸収率が最も低いカラーインクについて、前記前半ドットが形成される画素に対応する閾値の平均は、前記後半ドットが形成される画素に対応する閾値の平均よりも大きいことによって満たされる。この形態によれば、印刷時における処理負荷の増大が抑制される。この形態によれば、誤差拡散法によって上記の効果を得ることができる。
【００１１】
本発明は、上記以外の種々の形態でも実現できる。例えば、印刷方法、この方法を実現するためのプログラム、このプログラムを記憶した一時的でない記憶媒体等の形態で実現できる。
【図面の簡単な説明】
【００１２】
【図１】プリンターの概略構成。
【図２】プラテン側から見た印刷ヘッド。
【図３】副走査方向から見た印刷ヘッドと記録媒体。
【図４】パスと画素との対応関係における周期性を示す図。
【図５】ハーフトーン処理を示すフローチャート。
【図６】調整後デューティーと入力デューティーとの関係を示すグラフ。
【図７】調整後デューティーと入力デューティーとの関係を示すテーブル。
【図８】副走査方向位置と、ノズル番号と、グループとの関係を示す図。
【図９】余剰ノズルへの分配率を示すテーブル。
【図１０】副走査方向位置とノズル番号とグループとの関係を示す図。
【図１１】副走査方向位置とノズル番号とグループとの関係を示す図。
【図１２】副走査方向位置と、余剰ノズルへの分配との関係を示す図。
【図１３】等分の場合におけるドットオン率とノズル番号との関係をデューティー毎に示すグラフ。
【図１４】前半ドットが多くなるように調整した場合におけるドットオン率とノズル番号との関係をデューティー毎に示すグラフ。
【発明を実施するための形態】
【００１３】
実施形態１を説明する。図１は、プリンター２０の概略構成を示す。プリンター２０は、シリアル方式のインクジェットプリンターである。プリンター２０は、制御ユニット３０と、印刷ヘッド９０と、搬送機構７０と、第１仮照射部９６Ａ、第２仮照射部９６Ｂ（以下、まとめて「仮照射部９６」とも呼ぶ）と、本照射部９８（図２参照）とを備える。
【００１４】
制御ユニット３０は、メモリーカードＭＣが装着されるメモリーカードスロット３８や、プリンター２０に必要な操作を行うための操作パネル３９を備える。プリンター２０は、制御ユニット３０の内部に、ＣＰＵ４０や、ＲＯＭ５１、ＲＡＭ５２、ＥＥＰＲＯＭ６０を備える。これらは、バスで相互に接続される。制御ユニット３０は、ＲＯＭ５１やＥＥＰＲＯＭ６０に記憶されたプログラムをＲＡＭ５２に展開してＣＰＵ４０が実行することによって、プリンター２０の各部（例えば、搬送機構７０や印刷ヘッド９０）の動作を制御する。ＥＥＰＲＯＭ６２は、ディザマスク６２を記憶する。
【００１５】
ディザマスク６２は、ディザマスク６２によって決定されたオン／オフに従って形成されたドットが、全体でブルーノイズ特性を有するように閾値が配置されている。さらに、ディザマスク６２は、形成されたドットを、各パスにおける主走査によって形成されるドットもブルーノイズ特性を有するように閾値が配置されている。このような特性を有することによって、各パスでドットの着弾位置にずれが生じても画質の低下が抑制される。
【００１６】
搬送機構７０は、印刷ヘッド９０と記録媒体ＲＭとの搬送全般のための機構である。印刷ヘッド９０は、キャリッジ８０に搭載される。キャリッジ８０は、走査ガイド９３に摺動可能に取り付けられている。キャリッジモーター７１が回転（正転／逆転）すると、その回転は、プーリー７２との間に張設された無端ベルト７１によってキャリッジ８０に伝えられる。キャリッジ８０は、走査ガイド７３に沿って主走査方向に往復移動する。搬送機構７０は、媒体送りモーター７４を備える。媒体送りモーター７４の回転は、プラテン７５と媒体搬送ローラー（図示しない）とに伝達される。プラテン７５と媒体搬送ローラーとが回転することによって、記録媒体ＲＭは、副走査方向に搬送される。  
【００１７】
図２は、プラテン７５側（記録媒体ＲＭ側）から見た印刷ヘッド９０を示す。図２に示されるように、プラテン７５に対向する面に、複数のノズルＮＺを有している。複数のノズルＮＺは、４列に配列する。各ノズル列は、シアン用ノズル列９２、マゼンタ用ノズル列９３、イエロー用ノズル列９４、ブラック用ノズル列９５を構成する。副走査方向についてのノズルピッチは、ピッチＮＰである。ピッチＮＰは、ドットピッチの整数倍である。プリンター２０は、印刷ヘッド９０を、第１，第２仮照射部９６Ａ，９６Ｂと共に、プラテン７５に沿って往復移動（主走査）させる。プリンター２０は、主走査に伴ってノズルＮＺからインクを噴射して印刷を行う。  
【００１８】
インク収容部８２はシアンインクＣを、インク収容部８３はマゼンタインクＭを、インク収容部８４はイエローインクＹを、インク収容部８５はブラックインクＫを収容する。各インクは、紫外線を吸収すると硬化するインク（ＵＶインク）である。インク収容部８２〜８５は、収容するインクを、印刷ヘッド９０に供給する。
【００１９】
図２に示されるように、第１仮照射部９６Ａ及び第２仮照射部９６Ｂのそれぞれは、複数の光源９７を備える。光源９７は、紫外線ＬＥＤである。光源９７は、記録媒体ＲＭに噴射された直後のインクに対して紫外線を照射するために、ノズル列９２〜９５に対して主走査方向にオフセットした位置に配列している。
【００２０】
第１仮照射部９６Ａ及び第２仮照射部９６Ｂは、ＵＶインクを仮硬化させる光量を有する紫外線を照射する。仮硬化とは、インクドットが流れたり滲んだりしない程度以上には硬化しているが、充分な硬度には達していない状態となることを意味する。搬送機構７０により搬送される記録媒体ＲＭに向けて各光源９７から紫外線が照射されると、印刷ヘッド９０によって記録媒体ＲＭ上に噴射されたインクは、紫外線を吸収して仮硬化する。
【００２１】
本照射部９８は、図２に示されるように、印刷ヘッド９０よりも、副走査方向について下流側に配置される。本照射部９８は、複数の光源９９を備える。光源９９は、紫外線ＬＥＤである。光源９９は、記録媒体ＲＭのドット形成領域の全体に対して紫外線を照射するために、主走査方向について記録媒体ＲＭ全体を覆うように配列している。本照射部９８は、仮照射部９６によって仮硬化されたインクに、光源９９を用いて更に紫外線を照射する。この照射は、本硬化のために実行される。本硬化とは、インクドットの表面および内部が硬化した状態（充分に硬化した状態）になることを意味する。
【００２２】
図３は、副走査方向に沿って見た印刷ヘッド９０と記録媒体ＲＭとを示す。第１仮照射部９６Ａは、印刷ヘッド９０よりも往路における下流側に、第２仮照射部９６Ｂは印刷ヘッド９０よりも復路における下流側に配置される。印刷ヘッド９０が主走査方向に往復移動する際に、下流側の仮照射部９６が紫外線を照射することによって、仮硬化を実行する。なお、往路と復路との少なくとも何れか一方において、第１仮照射部９６Ａと第２仮照射部９６Ｂとの両方による照射を実行してもよい。
【００２３】
実施形態１においては、ピッチＮＰとして３００ｎｐｉ（nozzle per inch）、副走査方向のノズル数として３００個、印刷の解像度として６００ｄｐｉ（dot per inch）を採用する。さらに、実施形態１においては、４パス（２往復）によって１インチ幅のドット形成を順に完成させる方式が採用される。具体的には、次の通りである。
パス０：主走査方向オフセット無し、副走査方向への搬送無し
パス１：主走査方向オフセット＝１画素分、副走査方向への搬送＝１画素分
パス２：主走査方向オフセット無し、副走査方向への搬送無し
パス３：主走査方向オフセット＝１画素分、副走査方向への搬送＝５９９画素分
パス１における副走査方向への搬送は、パス１における主走査の後に実行される。パス３についても同様である。
【００２４】
図４は、パスと画素との対応関係における周期性を示す。図４に示された０〜３は、パス番号を示す。上記の印刷方式によれば、図４に示されるように、主走査方向および副走査方向それぞれについて、２画素を１周期として周期性が出現する。
【００２５】
図５は、ハーフトーン処理を示すフローチャートである。この処理は、周知のように、印刷データに含まれるドットデータ（ドットのオン／オフを示すデータ）を生成するための処理であり、ＣＰＵ４０によって実行される。まず、印刷対象となる画像に対して色変換（ＲＧＢ→ＣＭＹＫ）を実行する（ステップＳ３１０）。続いて、各画素におけるイエローの入力デューティー（色変換後の階調値）を、パスに応じて調整する（ステップＳ３２０）。入力デューティーを調整する対象がイエローインクなのは、実施形態１においては、イエローインクがカラーインク（シアン、マゼンタ、イエローの各インク）の中で最も紫外線の吸収率が高いからである。
【００２６】
図６は、調整後デューティーと入力デューティーとの関係を示すグラフである。図７は、調整後デューティーと入力デューティーとの関係を、代表値について示すテーブルである。先述したステップＳ３２０は、図６に示された関係に基づき実行される。このグラフは、図７に示されるテーブルに示された代表値を線形補間したものである。例えば、入力デューティー（色変換後の階調値）が２５％である場合、パス０であれは４５％、パス１であれは３５％、パス２であれは２０％、パス３であれは０％に変換される。変換後の値が、調整後デューティーである。
【００２７】
デューティーを調整した後、ハーフトーン処理を実行する（ステップＳ３３０）。ここでのハーフトーン処理は、ディザ法と誤差拡散法との何れでもよい。ハーフトーン処理の後、プリンター２０は、生成されたドットデータに基づき記録媒体ＲＭに印刷をする。
【００２８】
以上に説明した実施形態１によれば、シアンインクとマゼンタインクとについて、硬化不良が抑制される。パスが進むにつれてイエローインクのデューティーが減少する。そうすると、前半パス（パス０及びパス１）で形成されるイエローインクのドット数は、後半パス（パス２及びパス３）で形成されるイエローインクのドット数よりも多くなる。よって、前半パスで形成されたシアンインク及びマゼンタインクのドットが、後半パスで形成されたイエローインクのドットに被覆される可能性が低くなる。この結果、シアンインク及びマゼンタインクのドットが、イエローインクのドットに被覆され、本硬化において少量の紫外線しか受けられないことが抑制される。さらに、イエローインクについては、前半パスで多数のドットが形成されるので、仮硬化を受ける回数が増え、充分に硬化する。実施形態１は、このような効果を、ヘッドを大きくしたり、余剰ノズルを設けたりすること等を回避し、従来のハードウエア構成によって奏することができる点において優れている。
【００２９】
実施形態１ではイエローインクのデューティーが１００％に近づくと、パス間に充分なデューティー差をつけることが難しくなる。しかしイエローを他の色のインクとの混色で用いる場合、それぞれの最大デューティーを６０％程度に抑える等とすることが多いので、実施形態１によればイエローインクがシアンインク及びマゼンタインクの硬化を妨げる弊害を充分に改善できる。最大デューティーを６０％程度に抑えるのは、例えばマゼンタとイエローとの混色でレッドを再現したい場合には、総インク量が大きくなってインク層が厚くなり過ぎる、などの弊害を防ぐためである。
【００３０】
実施形態２を説明する。実施形態２においては、実施形態１におけるステップＳ３２０を省略し、ステップＳ３３０におけるハーフトーン処理をディザ法によって実行する。実施形態１において説明したパス毎のデューティー調整は、ディザマスクの閾値を、パス毎に調整することによって実現する。
【００３１】
この調整を実現するためには「ディザマスクの各閾値が、何れのパスによってドットが形成される画素に対応するか」が一意に定まっていることが好ましい。この関係を実現するためには、ディザマスクのサイズが、パスと画素との対応関係における周期性における１周期の整数倍であればよい。実施形態２においては、この周期性は実施形態１と同じなので、ディザマスクのサイズは、主走査方向および副走査方向それぞれについて、２画素の倍数であればよい。例えばブルーノイズマスク等のマスク内に規則的ドット配置を持たないマスクを実現するためには、２５６×２５６画素などの大きなサイズのマスクを使用する。
【００３２】
上記の関係を前提にして、ディザマスクの各閾値に対して逆調整を施したものをイエロー用のディザマスクとして採用する。逆調整とは、実施形態１における入力デューティーに対する調整とは逆の関係となる調整のことである。例えば、閾値が１〜１００であった場合、パス０に対応する閾値４５に対しては、図６，図７を参照すると、閾値２５が逆調整による値として返される。パス１に対応する閾値６０に対しては、閾値５０が逆調整による値として返される。閾値が１〜１０２３であった場合、パス０に対応する閾値２００に対しては、２００×１００／１０２３≒１９．６が参照値となり、約１０．９が逆調整による値として返される。この値を実施形態２のディザマスクに合わせると、１０．９×１０２３／１００≒１１１．１となる。１１１．１をそのまま閾値として採用してもよいし、四捨五入などによって１１１又は１１２を閾値として採用してもよい。
【００３３】
このような逆調整が施された閾値の配置においては、四捨五入などに起因するわずかな違いがあるだけで、実施形態１とほぼ同等の結果が得られる。
【００３４】
ディザ法においては、入力デューティーと閾値との比較によってドットのオン／オフが決定されるので、パスに応じた調整を、入力デューティーと閾値との何れに対して施しても、同等のドットデータを得ることができる。プリンター２０は、逆調整を施したディザマスクを予め記憶しておくことができるので、実施形態２は印刷時における処理負荷が重くならない点において有利である。
【００３５】
実施形態３を説明する。図８は、実施形態３における副走査方向位置と、ノズル番号と、グループとの関係を示す。ノズル番号とグループとについては追って説明する。実施形態３においては、１５０ｎｐｉ、３００ｄｐｉ及び副走査方向のノズル数として１５０個が採用される。各パスにおける動作は、次の通りである。
パス０：主走査方向オフセット無し、副走査方向への搬送＝７５画素分
パス１：主走査方向オフセット＝１画素分、副走査方向への搬送＝７５画素分
パス２：主走査方向オフセット＝１画素分、副走査方向への搬送＝７５画素分
パス３：主走査方向オフセット無し、副走査方向への搬送＝７５画素分
何れのパスにおいても、副走査方向への搬送は、主走査の後に実行される。上記の方式によれば、副走査方向について７５画素分の印刷がパス毎に完成する。
【００３６】
この印刷方式の場合、主走査方向に２画素、副走査方向に３００画素の周期で、パスと画素との対応関係に周期性が出現する。実施形態３のディザマスクのサイズは、実施形態２と同様に、パスと画素との対応関係における周期性の１周期の整数倍に設定されている。具体的には、主走査方向に２５６画素、副走査方向に３００画素、つまり、主走査方向は１２８倍、副走査方向は１倍に設定されている。このように充分に大きなサイズのディザマスクとすることで、マスク内に規則的なパターンを持たないブルーノイズマスク系のディザマスクを実現できる。実施形態２と同様に、これまでに説明した関係を用いて、ディザマスクの閾値に対し、パスに応じたデューティーの逆調整を施すことができる。
【００３７】
但し、実施形態３における「パスに応じたデューティーの逆調整」とは、単にパス番号に応じて閾値を変更することではない。実施形態３においては、パス０〜３がどのような順番で実行されるかが、４通り存在するからである。パス０〜３がどのような順番で実行されるかに基づき分割された範囲を「バンド」と呼び、バンド０〜３の４つのバンドが存在する。バンド０とは、パス０が１回目の主走査となるバンドのことであり、パス０の後はパス１，２，３の順で主走査が実行される。バンド１の場合は、パス１が１回目の主走査となり、パス１の後はパス２，３，０の順で主走査が実行される。バンド２，３についても同様である。
【００３８】
何れのバンドにおいても、ノズル番号０〜３６（グループ０）が１回目のパス、ノズル番号３８〜７４（グループ１）が２回目のパス、ノズル番号７５〜１１１（グループ２）が３回目のパス、ノズル番号１１３〜１５０（グループ３）が４回目のパスにおいてドット形成を実行する。ノズル番号とは、ノズルに対して副走査方向の位置に対応して付けられた数字であり、副走査方向について上流側から若い番号が割り振られている。図８に示されたグループ０に対応づけられた黒塗りの画素が、グループ０に属するノズル（以下「グループ０ノズル」という。他のグループについても同様である。）によってドットが形成される画素を示す。グループ１〜３についても同様である。
【００３９】
実施形態３における逆調整は「或る画素についてドットを形成するノズルが何れのグループに属するかに応じて、その画素に対応するディザマスクの閾値を逆調整すること」と捉えることができる。
【００４０】
ノズル番号３７は、何れのグループにも属さないので、グループ０とグループ１との中間のデューティーを採用する。ノズル番号３７が何れのグループにも属さないのは、ノズル数１５０がパス数の４で割り切れないからである。同様にノズル番号１１２については、グループ２とグループ３との中間のデューティーを採用する。なお、ノズル番号３７は、デューティーとしてグループ０とグループ１との何れかの値を採用してもよいし、ノズル番号１１２は、デューティーとしてグループ２とグループ３との何れかの値を採用してもよい。以上に説明した実施形態３によっても、実施形態１，２と同等の効果を得ることができる。
【００４１】
実施形態４を説明する。実施形態４においては、ハーフトーン処理を誤差拡散法によって実行すると共に、デューティーの調整を、誤差拡散法における閾値を調整することによって実現する。印刷方式については、実施形態１と同じものを採用する。この印刷方式の場合、実施形態１において説明した通り、パスが進むにつれてイエローインクのデューティーが減少すれば、先述した効果を得ることができる。
【００４２】
閾値の調整とは、対応するパスに応じた調整値を、閾値に対して予め加算することである。調整値は、正負いずれの値も取り得る。パスｎに対応する画素の閾値に加算する調整値を調整値（ｎ）と表記すると、調整値（０）＜調整値（１）＜調整値（２）＜調整値（３）が成立する。ｑ回目の主走査によって形成されるドット数を「ドット数（ｑ）」と表記すると、ドット数（０）≧ドット数（１）≧ドット数（２）≧ドット数（３）が実現される。なお、調整値（ｎ）は、固定値であってもよいし、入力デューティーに応じて変化させてもよい。実施形態４によれば、誤差拡散法を用いる場合に、印刷時における処理負荷が重くなることを回避しつつ、デューティーの調整を実現できる。
【００４３】
実施形態５を説明する。実施形態５は実施形態３を基にした実施形態であるので、実施形態３との違いを中心に説明する。実施形態５は、実施形態３の場合よりもノズルを３８個（ノズル番号１５０〜１８７）増やす。これらのノズルは、グループ４に属するものとする。ただし、説明を簡単にするため、ノズル番号３７はグループ０に属するものとする。グループ４ノズルのそれぞれは、割り当てられる画素が、グループ０ノズルの何れか１つと重複する。つまり、グループ４ノズルは、余剰ノズルである。グループ４ノズルそれぞれは、実施形態３でグループ０ノズルが担当していた画素を任意の割合で代替することが可能である。グループ０ノズルのノズル番号に１５０を加えたノズル番号が、重複するグループ４ノズルのノズル番号となる。実施形態５において、ノズル番号毎の分配率は、インク色に応じて、図９に示される例が採用される。
【００４４】
図９で示されていないノズル番号の分配率は、図９で示されているノズル番号と分配率との関係が直線的に補間されているものとする。グループ０とグループ４との重複する２ノズルの分配率の合計は１００％である。よって、グループ０ノズルの分配率が決まれば、重複するグループ４ノズルの分配率は自動的に決まる。グループ１〜３ノズルは他のノズルと重複しないので、分配率は常に１００％となる。
【００４５】
従来は“等分１”や“等分２”のように、グループ０ノズルとグループ４ノズルとを平等に用いる対称的な設定が普通であった。特に“等分２”の設定では、ノズル列の両端に近づくほど分配率が下がってゆくため、バンド境界が線として視認されるバンディングがほとんど目立たなくできる。
【００４６】
それに対して、実施形態５では、“グループ０重視設定”及び“グループ４重視設定”を用いる。グループ０重視設定によれば、パス順が最後になるグループ４ノズルに対して、パス順が最初のグループ０ノズルの分配率が多くなる。このため、グループ０重視設定を紫外線吸収率の高いイエローインクに用いることで、自動的に前半パスでイエローインクのドットを多く形成する設定が実現できる。一方、グループ４重視設定を紫外線吸収率の低いマゼンタインクとシアンインクとに用いることで、マゼンタインクとシアンインクとのドットについて後半パスの分配率が上がる。この結果、紫外線吸収率の高いイエローインクのドットが、マゼンタインクとシアンインクとのドットの上に形成される割合を減らせる。
【００４７】
実施形態１〜４ではデューティー＝１００％の場合には前半パスと後半パスとの分配率が等しくなったのに対し、実施形態５ではデューティー＝１００％でも前半パスと後半パスとの分配率に差を付けることができるようになり、本発明の効果を得ることができる。なお、図９に示された値は設計値であり、実際の分配率は設計値から多少のばらつきがあってもかまわない。
【００４８】
図１０，図１１及び図１２に、図９のような任意の分配率を実現するための詳細な手法を示す。図１０及び図１１は、図９の“等分２”の設定を例に、副走査方向位置と、ノズル番号と、グループとの関係を示す。図１０及び図１１は、一連の内容を示すが、紙面の都合上、２つの図に分割されている。グループ１〜３の配置は図８と同一のため省略してある。また比較のため実施形態５でのグループ０の画素位置も表示してある。この表示は、ノズル番号３７はグループ０に含まれるように変更した例を示す。実施形態５で新たに増えたグループ４ノズルのノズル番号は、重複するグループ０ノズル番号の横にカッコつきで記述されている。
【００４９】
実施形態５では、実施形態３でグループ０ノズルに対応していた画素を、図９の“等分２”に示すノズル番号に応じた分配率でグループ４ノズルに分配する。分配率を細かく制御するため、主査方向の繰り返し周期は図８の２画素から６４画素に拡大して、規則性を持たせることなく、同じグループの画素をできるだけ離して分散させる配置とした。ただし図１０，図１１では６４画素周期の中間部の表示は省略してある。図１０，図１１で黒塗りはグループ０に分配される画素位置、ハッチングはグループ４に分配される画素位置であり、１つのパターンで両グループの配置を示している。
【００５０】
図１２には、対応するグループ０ノズルの番号、図９の“等分２”を適用した場合のグループ０ノズルへの分配率の設計値、実際の分配率、グループ０ノズルの実分配画素数、及びグループ４ノズルの実分配画素数が記述してある。このように、副走査方向のパス配置の繰り返し単位を大きくし、グループ０とグループ４との配置パターンを適切に設定することで、図９の“等分２”の設定が実現できる。
【００５１】
なお、“等分２”によっては、本発明の効果を得ることができない。ただし、“等分２”は、本発明の効果を有する“グループ０重視”及び“グループ４重視”の設定の基にすることができる。つまり、“等分２”におけるグループ０ノズルへの分配率の設計値を変えるだけで、“グループ０重視”及び“グループ４重視”が実現できる。
【００５２】
実施形態６について説明する。実施形態６は、実施形態５の図１０，図１１，図１２に示した“等分２”の設定を用いた上で、本発明の効果を発揮する手法を示す。図１０，図１１，図１２ではパス番号およびノズル番号のパターンは、主走査方向のパス番号の繰り返し周期は６４画素、主走査方向の繰り返し周期は３００画素の繰り返しパターンとなる。したがって、この繰り返しパターンを参照することで、画素位置に対応するノズル番号が一意に決まる。
【００５３】
一般に、ノズル番号に応じた特別な制御を行わない場合、デューティー＝Nの場合に各ノズルがオンになる確率は、ノズル番号にかかわらず、Nで一定となる。したがって、デューティーが２５％，５０％，７５％，１００％の各ノズル番号についてドットがオンとなる確率は、単純にデューティーに分配率を乗じた値となる。図１０，図１１，図１２の設定（等分２）の場合は、図１３のようになる。図１３に示されたｘ軸の補助線が、ノズルグループ同士の境界を示す。左端がグループ０、右端がグループ４に対応する。
【００５４】
これに対して、図１４はドットオンとなる確率を、入力デューティーに応じてノズル番号毎に制御した例を示す。図１４のような特性を実現することによって、デューティー＝１００％以外では前半パスで発生するドットの比率を高めることができる。また、図１４の特性を左右逆に（ｘ軸について反転）すれば、後半パスで発生するドットの比率を高めることもできる。デューティー＝１００％ではドット分配率の設定値に収束するため、１００％近くでは制御できる余地が小さくなる。それが問題になる場合は、ドット分配率の設定自体を“等分２”ではなく“グループ０重視”や“グループ４重視”に設定すればよい。
【００５５】
ノズル番号に応じたドットオン率の制御は、入力デューティーをパス番号に応じて調整した手法（実施形態１）を応用して、パス番号ではなくノズル番号に応じて調整するようにすることで実現できる。図１４には２５％きざみのデューティーにおける値がプロットされている。その間のデューティーは直線補間などによって求めればよい。
【００５６】
また、実施形態３と同じく主走査方向サイズが２５６画素のディザマスクを用いるとすると、主走査方向の繰り返し周期である６４画素の整数値倍（具体的には４倍）という制約を満たしているので、ディザマスク上の画素位置が決まれば、ノズル番号およびパス順も決まる。したがって実施形態３同様に、ディザマスク側の閾値を調整する実施形態も可能である。具体的には、実施形態３では対応するパス番号に応じてディザマスク閾値を調整したのと同様に、対応するノズル番号に応じてディザマスク閾値を調整すればよい。
【００５７】
本発明は、本明細書の実施形態や実施例、変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、先述の課題の一部又は全部を解決するために、あるいは、先述の効果の一部又は全部を達成するために、適宜、差し替えや、組み合わせを行うことができる。その技術的特徴が本明細書中に必須なものとして説明されていなければ、適宜、削除できる。例えば、以下のものが例示される。
【００５８】
高吸収インク（カラーインクの中で最も紫外線吸収率が高いインク）に加えて又は代えて、他のインクのデューティーを調整してもよい。例えば、低吸収インク（カラーインクの中で最も紫外線吸収率が低いインク）としてシアンを調整する場合、実施形態においてイエローに施した調整と逆の考え方で調整を施してもよい。つまり、パスが進むにつれてデューティーが増加するように調整してもよい。
高吸収インクがイエローインク以外のインク（例えばシアンインク、マゼンタインク）である場合は、そのインクを高吸収インクとして取り扱ってもよい。
白色インク（パールホワイト、調色白）について、デューティーの調整を実行してもよい。
【符号の説明】
【００５９】
２０…プリンター
３０…制御ユニット
３８…メモリーカードスロット
３９…操作パネル
４０…ＣＰＵ
５１…ＲＯＭ
５２…ＲＡＭ
６０…ＥＥＰＲＯＭ
６２…ディザマスク
７０…搬送機構
７１…無端ベルト
７２…プーリー
７３…操作ガイド
７４…紙送りモーター
７５…プラテン
７７…キャリッジモーター
８０…キャリッジ
８２〜８５…インク収容部
９０…印刷ヘッド
９２〜９５…ノズル列（ＣＭＹＫ）
９６Ａ…第１仮照射部
９６Ｂ…第２仮照射部
９７，９９…光源
９８…本照射部
ＲＭ…記録媒体
【図１】
2014223728.tif 000003
【図２】
2014223728.tif 000004
【図３】
2014223728.tif 000005
【図４】
2014223728.tif 000006
【図５】
2014223728.tif 000007
【図６】
2014223728.tif 000008
【図７】
2014223728.tif 000009
【図８】
2014223728.tif 000010
【図９】
2014223728.tif 000011
【図１０】
2014223728.tif 000012
【図１１】
2014223728.tif 000013
【図１２】
2014223728.tif 000014
【図１３】
2014223728.tif 000015
【図１４】
2014223728.tif 000016